(57)【要約】【課題】  給湯口近傍のお湯自体を照射することにより、お湯の流れをはっきりさせる。【解決手段】  貯湯用の内容器３を内蔵した容器本体１と、該容器本体１の上部開口を開閉自在に覆蓋する蓋体２と、前記内容器３内のお湯を加熱する加熱手段（電気ヒータ４）と、前記お湯を前記蓋体２の嘴部２ａに設けられた給湯口５ｂから下向きに給湯する給湯通路５と、該給湯通路５を介してお湯Ｗを給湯する給湯ポンプ６とを備えた電気貯湯容器において、前記嘴部２ａに、前記給湯口５ｂから下向きに給湯されるお湯Ｗを照射する光源（ＬＥＤ２９）を配設して、ＬＥＤ２９から照射される光により給湯口５ｂから給湯されるお湯Ｗ自体が照らされるようにしている。【選択図】        図１
2009189617.tif 000002
【特許請求の範囲】
【請求項１】
貯湯用の内容器を内蔵した容器本体と、該容器本体の上部開口を開閉自在に覆蓋する蓋体と、前記内容器内のお湯を加熱する加熱手段と、前記お湯を前記蓋体の嘴部に設けられた給湯口から下向きに給湯する給湯通路と、該給湯通路を介してお湯を給湯する給給湯ポンプとを備えた電気貯湯容器であって、前記嘴部には、前記給湯口から下向きに給湯されるお湯を照射する光源を配設したことを特徴とする電気貯湯容器。
【請求項２】
前記光源を、前記容器本体の前面中央部をも照射し得るように構成したことを特徴とする請求項１記載の電気貯湯容器。
【請求項３】
前記光源を、前記内容器内のお湯の温度に対応して複数の色光を照射し得るように構成したことを特徴とする請求項１および２のいずれか一項記載の電気貯湯容器。
【請求項４】
前記光源を、前記内容器内のお湯の設定保温温度に対応して複数の色光を照射し得るように構成したことを特徴とする請求項１および２のいずれか一項記載の電気貯湯容器。
【請求項５】
前記給湯ポンプを作動開始させる給湯スイッチと、該給湯スイッチのロック状態を解除するロック解除スイッチとを付設するとともに、前記光源を、前記ロック解除スイッチのＯＮ操作と同時にＯＮさせ且つ前記給湯スイッチのＯＦＦ操作後所定時間経過した後にＯＦＦさせ得るように構成したことを特徴とする請求項１、２、３および４のいずれか一項記載の電気貯湯容器。
【請求項６】
前記給湯ポンプを作動開始させる給湯スイッチと、該給湯スイッチのロック状態を解除するロック解除スイッチとを付設するとともに、前記光源を、前記ロック解除スイッチのＯＮ操作と同時にＯＮさせ且つ前記給湯ポンプの作動停止後所定時間経過した後にＯＦＦさせ得るように構成したことを特徴とする請求項１、２、３および４のいずれか一項記載の電気貯湯容器。
【発明の詳細な説明】
【技術分野】
【０００１】
本願発明は、電気貯湯容器に関し、さらに詳しくは、給湯口から給湯されるお湯を光源からの光で照射し得るように構成した電気貯湯容器に関するものである。
【背景技術】
【０００２】
この種の電気貯湯容器としては、貯湯用の内容器を内蔵した容器本体と、該容器本体の上部開口を開閉自在に覆蓋する蓋体と、前記内容器内のお湯を加熱する加熱手段と、前記お湯を前記蓋体の嘴部に設けられた給湯口から下向きに給湯する給湯通路と、該給湯通路を介して液体を給湯する給湯ポンプとを備えて構成され、電気貯湯容器の載置面における前記給湯口から給湯されるお湯が到達する位置を光源で照射するようにしたものが提案されている（特許文献１参照）。
【０００３】
【特許文献１】特許第２７７８２０５号公報。
【発明の開示】
【発明が解決しようとする課題】
【０００４】
ところが、上記特許文献１に開示されている電気貯湯容器の場合、電気貯湯容器の載置面における前記給湯口から給湯されるお湯が到達する位置を光源で照射するように構成されているが、実際に急須やコップにお湯を注ぐ時には、お湯が飛び散らないように極力給湯口に近づけてお湯を受けるのが通例である。給湯口近傍のお湯自体を照射する方が道理にかなっている。
【０００５】
本願発明は、上記の点に鑑みてなされたもので、給湯口近傍のお湯自体を照射することにより、お湯の流れをはっきりさせることを目的としている。
【課題を解決するための手段】
【０００６】
本願発明では、上記課題を解決するための第１の手段として、貯湯用の内容器を内蔵した容器本体と、該容器本体の上部開口を開閉自在に覆蓋する蓋体と、前記内容器内のお湯を加熱する加熱手段と、前記お湯を前記蓋体の嘴部に設けられた給湯口から下向きに給湯する給湯通路と、該給湯通路を介してお湯を給湯する給湯ポンプとを備えた電気貯湯容器において、前記嘴部に、前記給湯口から下向きに給湯されるお湯を照射する光源を配設している。
【０００７】
上記のように構成したことにより、光源から照射される光により給湯口から給湯されるお湯自体が照らされることとなり、お湯の流れがはっきりし、急須等でお湯を受ける手元が明るくなる。従って、給湯されるお湯を誤りなく、急須等で受け止めることができる。
【０００８】
本願発明では、さらに、上記課題を解決するための第２の手段として、上記第１の手段を備えた電気貯湯容器において、前記光源を、前記容器本体の前面中央部をも照射し得るように構成することもでき、そのように構成した場合、光源からの光により容器本体の前面中央部がライトアップされることとなり、手元が明るくなって給湯動作が容易になる。
【０００９】
本願発明では、さらに、上記課題を解決するための第３の手段として、上記第１又は第２の手段を備えた電気貯湯容器において、前記光源を、前記内容器内のお湯の温度に対応して複数の色光を照射し得るように構成することもでき、そのように構成した場合、内容器内のお湯の温度に対応して光源から照射される光の色が変化するところから、お湯の温度を光源からの光の色により容易に認識することができる。
【００１０】
本願発明では、さらに、上記課題を解決するための第４の手段として、上記第１又は第２の手段を備えた電気貯湯容器において、前記光源を、前記内容器内のお湯の設定保温温度に対応して複数の色光を照射し得るように構成することもでき、そのように構成した場合、内容器内のお湯の設定保温温度に対応して光源から照射される光の色が変化するところから、お湯の設定保温温度を光源からの光の色により容易に認識することができる。
【００１１】
本願発明では、さらに、上記課題を解決するための第５の手段として、上記第１、第２、第３又は第４の手段を備えた電気貯湯容器において、前記給湯ポンプを作動開始させる給湯スイッチと、該給湯スイッチのロック状態を解除するロック解除スイッチとを付設するとともに、前記光源を、前記ロック解除スイッチのＯＮ操作と同時にＯＮさせ且つ前記給湯スイッチのＯＦＦ操作後所定時間経過した後にＯＦＦさせ得るように構成することもでき、そのように構成した場合、光源は、ロック解除スイッチのＯＮ操作と同時にＯＮされ、給湯スイッチのＯＦＦ操作後所定時間経過した後にＯＦＦされることとなり、給湯口からお湯が給湯されている間は確実に光源からの光によって給湯されるお湯を照射することができる。
【００１２】
本願発明では、さらに、上記課題を解決するための第６の手段として、上記第１、第２、第３又は第４の手段を備えた電気貯湯容器において、前記給湯ポンプを作動開始させる給湯スイッチと、該給湯スイッチのロック状態を解除するロック解除スイッチとを付設するとともに、前記光源を、前記ロック解除スイッチのＯＮ操作と同時にＯＮさせ且つ前記給湯ポンプの作動停止後所定時間経過した後にＯＦＦさせ得るように構成することもでき、そのように構成した場合、光源は、ロック解除スイッチのＯＮ操作と同時にＯＮされ、給湯ポンプの作動停止後所定時間経過した後にＯＦＦされることとなり、給湯口からお湯が給湯されている間は確実に光源からの光によって給湯されるお湯を照射することができる。
【発明の効果】
【００１３】
本願発明の第１の手段によれば、貯湯用の内容器を内蔵した容器本体と、該容器本体の上部開口を開閉自在に覆蓋する蓋体と、前記内容器内のお湯を加熱する加熱手段と、前記お湯を前記蓋体の嘴部に設けられた給湯口から下向きに給湯する給湯通路と、該給湯通路を介してお湯を給湯する給湯ポンプとを備えた電気貯湯容器において、前記嘴部に、前記給湯口から下向きに給湯されるお湯を照射する光源を配設して、光源から照射される光により給湯口から給湯されるお湯自体が照らされるようにしたので、お湯の流れがはっきりし、急須等でお湯を受ける手元が明るくなり、給湯されるお湯を誤りなく、急須等で受け止めることができるという効果がある。
【００１４】
本願発明の第２の手段におけるように、上記第１の手段を備えた電気貯湯容器において、前記光源を、前記容器本体の前面中央部をも照射し得るように構成することもでき、そのように構成した場合、光源からの光により容器本体の前面中央部がライトアップされることとなり、手元が明るくなって給湯動作が容易になる。
【００１５】
本願発明の第３の手段におけるように、上記第１又は第２の手段を備えた電気貯湯容器において、前記光源を、前記内容器内のお湯の温度に対応して複数の色光を照射し得るように構成することもでき、そのように構成した場合、内容器内のお湯の温度に対応して光源から照射される光の色が変化するところから、お湯の温度を光源からの光の色により容易に認識することができる。
【００１６】
本願発明の第４の手段におけるように、上記第１又は第２の手段を備えた電気貯湯容器において、前記光源を、前記内容器内のお湯の設定保温温度に対応して複数の色光を照射し得るように構成することもでき、そのように構成した場合、内容器内のお湯の設定保温温度に対応して光源から照射される光の色が変化するところから、お湯の設定保温温度を光源からの光の色により容易に認識することができる。
【００１７】
本願発明の第５の手段におけるように、上記第１、第２、第３又は第４の手段を備えた電気貯湯容器において、前記給湯ポンプを作動開始させる給湯スイッチと、該給湯スイッチのロック状態を解除するロック解除スイッチとを付設するとともに、前記光源を、前記ロック解除スイッチのＯＮ操作と同時にＯＮさせ且つ前記給湯スイッチのＯＦＦ操作後所定時間経過した後にＯＦＦさせ得るように構成することもでき、そのように構成した場合、光源は、ロック解除スイッチのＯＮ操作と同時にＯＮされ、給湯スイッチのＯＦＦ操作後所定時間経過した後にＯＦＦされることとなり、給湯口からお湯が給湯されている間は確実に光源からの光によって給湯されるお湯を照射することができる。
【００１８】
本願発明の第６の手段におけるように、上記第１、第２、第３又は第４の手段を備えた電気貯湯容器において、前記給湯ポンプを作動開始させる給湯スイッチと、該給湯スイッチのロック状態を解除するロック解除スイッチとを付設するとともに、前記光源を、前記ロック解除スイッチのＯＮ操作と同時にＯＮさせ且つ前記給湯ポンプの作動停止後所定時間経過した後にＯＦＦさせ得るように構成することもでき、そのように構成した場合、光源は、ロック解除スイッチのＯＮ操作と同時にＯＮされ、給湯ポンプの作動停止後所定時間経過した後にＯＦＦされることとなり、給湯口からお湯が給湯されている間は確実に光源からの光によって給湯されるお湯を照射することができる。
【発明を実施するための最良の形態】
【００１９】
以下、添付の図面を参照して、本願発明の好適な実施の形態について説明する。
【００２０】
この電気貯湯容器は、図１に示すように、湯沸かし用の内容器３を備えた容器本体１と、該容器本体１の上部開口を開閉する蓋体２と、前記内容器３の底部を加熱する加熱手段である電気ヒータ４と、前記内容器３内のお湯を外部へ給湯するための給湯通路５と、該給湯通路５の途中に設けられた給湯ポンプ６とを備えて構成されている。
【００２１】
前記容器本体１は、外側面を構成する板金製の外ケース７と、内周面を構成する前記内容器３と、前記外ケース７の上部と内容器３の上部とを結合する合成樹脂製の環状の肩部材８と、底面を構成する合成樹脂製の底板９とからなっており、その前面側は、図２および図３に示すように、横断面が後方側に窪んだ凹面形状部１ａとされている。なお、該凹面形状部１ａにおける一側側には、内部に配設された給湯通路５の一部（即ち、水位表示部５ａ）を透視できる縦長の透視窓２５が形成されている。
【００２２】
前記内容器３は、ステンレス製の有底円筒形状の内筒１０とステンレス製の略円筒形状の外筒１１との間に真空空間１２を形成してなる真空二重容器からなっており、その底部には、前記内筒１１の底部のみからなる非真空部３ａが形成されている。該非真空部３ａの下面には、前記電気ヒータ４（例えば、雲母板に発熱体を保持させてなるマイカヒータ）が取り付けられている。符号１３は内容器３の温度（換言すれば、湯温Ｔ）を検出する温度検出手段として作用する温度センサーである。
【００２３】
前記蓋体２は、合成樹脂製の上板１４と該上板１４に対して外周縁が嵌め合いにより結合された合成樹脂製の下板１５とからなっており、前記肩部材８の後部に設けられたヒンジ受け１６に対してヒンジピン１７を介して開閉且つ着脱自在に支持されている。また、この蓋体２の反ヒンジピン側には、前記容器本体１における凹面形状部１ａの上方に臨む庇形状の嘴部２ａが形成されており、該嘴部２ａの下面における幅方向中央部には、前記給湯通路５の出口となる給湯口５ｂが下向きに突出して設けられている。
【００２４】
また、この蓋体２には、電源が接続されていない状態でも給湯通路５を介しての給湯が可能なように、手動操作により駆動されるエアーポンプ１８が配設されている。該エアーポンプ１８は、前記蓋体２の略中央部に形成された円筒形状の凹部１９内に配設されたベーローズタイプのものとされており、押圧板２０を介しての押圧操作により加圧空気が内容器３内に吹き込まれ、該加圧空気の圧力により内容器３内のお湯が給湯通路５を介して外部へ押し出されることとなっている。符号２１は蒸気排出通路、２２は蒸気排出通路２１の途中に配設された転倒止水弁である。
【００２５】
前記蓋体２における下板１５には、金属製のカバー部材２３が固定されており、該カバー部材２３の外周縁には、蓋体２の閉蓋時において前記内容器３の給水口３ｂに圧接されるシールパッキン２４が設けられている。
【００２６】
前記給湯通路５の途中であって前記内容器３の下方位置には、前記給湯ポンプ６が配設されている。
【００２７】
上記構成の電気貯湯容器は、電気ヒータ４への通電制御を行う通常の保温モード（換言すれば、設定保温温度制御モード）の他に、電気ヒータへの通電を停止した状態（即ち、電源コードを取り外した状態）で保温する魔法瓶保温モードによる使用が可能となっている。
【００２８】
図１において、符号２６は蓋体２を容器本体１に対して閉止状態に保持するためのロック機構、２７は操作パネル部、２８はスイッチ基板である。
【００２９】
ところで、本実施の形態においては、前記蓋体２の嘴部２ａにおける先端部下面において前記給湯口５ｂより先端側に寄った位置には、該給湯口５ｂから下向きに給湯されるお湯Ｗを照射する光源として作用するＬＥＤ２９が斜め内向き姿勢で配設されている。該ＬＥＤ２９は、前記容器本体１の前面中央部（即ち、凹面形状部１ａの中央部）をも照射し得るように構成されている。また、該ＬＥＤ２９は、前記内容器３内のお湯の温度に対応して複数の色光（例えば、赤、緑および青の３色の色光）を照射し得るように構成されている。なお、ＬＥＤに代えてランプを使用することもできる。
【００３０】
前記嘴部２ａの先端側には、透明部３が形成されており、該透明部３０は、前記ＬＥＤ２９から照射される光が下向きに透過する下面透明部３０ａと前記ＬＥＤ２９から照射される光が前向きに透過する前面透明部３０ｂとによって構成されている。このように構成したことにより、ＬＥＤ２９から照射される光は、前記下面透明部３０ａを透過して前記給湯口５ｂから下向きに給湯されるお湯を照射し、その後、容器本体１の前面中央部Ｓ（即ち、凹面形状部１ａの中央部）をも照射し得ることとなるとともに、前記前面透明部３０ｂを透過することにより前方に照射され、ユーザに対してＬＥＤ２９の点灯を表示することとなる。この場合、給湯口５ｂから下向きに給湯されるお湯を照射して、実際にお湯を受ける急須やコップの位置を照らすには、給湯されるお湯のできるだけ上部を照射できるように、ＬＥＤ２９の傾斜角度を設定するのが望ましい。なお、前方からのＬＥＤ２９の視認がさほど必要でない場合には、前面透明部３ｂは必要ではない。
【００３１】
前記操作パネル部２７には、図４に示すように、給湯スイッチ３１、ロック解除スイッチ３２、再沸騰スイッチ３３、保温選択スイッチ３４、キッチンタイマースイッチ３５、液晶表示装置３６、再沸騰表示灯３７、保温表示灯３８、まほうびん保温表示灯３９、ロック解除スイッチ３２の解除状態を表示するロック解除表示灯４０が設けられている。前記液晶表示装置３６には、温度、沸騰残時間および湯量が交互に７セグメント表示され且つ後述するスローリーク発生表示が文字表示されるとともに、設定保温温度（９８℃、９０℃、８５℃、８０℃、７５℃、７０℃、まほうびん）を表示する三角形形状の表示灯４１が設けられている。前記ロック解除スイッチ３２は、給湯スイッチ３１のロック状態を解除する作用に加えて、ＯＮ操作と同時にＬＥＤ２９がＯＮ作動（即ち、点灯）されることとなっている。なお、ロック解除スイッチ３２のＯＮ操作にもかかわらず給湯スイッチ３１がＯＮ操作されなかった（即ち、給湯動作が開始されなかった）場合には、ロック解除スイッチ３２によるロック解除が取り消されたときかロック解除が取り消されて所定時間経過後にＬＥＤ２９がＯＦＦ（即ち、消灯」される。また、ロック解除スイッチ３２の長押しにより、ＬＥＤ２９がＯＮ／ＯＦＦの切り替えができるようにすることもできる。
【００３２】
図５は、本実施の形態にかかる電気貯湯容器における電気的要素の結線状態を示すブロック図である。なお、既に説明した電気的要素については同一の符号を付して説明を省略する。
【００３３】
図５において、符号４２はマイコン基板、４３は交流電源、４４は温度ヒューズ、４５はトライアック、４６はリレー、４７は抵抗である。
【００３４】
上記構成の電気貯湯容器においては、電気ヒータ４は、沸騰用ヒータ４Ａと保温用ヒータ４Ｂとを備えており、保温用ヒータ４Ｂへの通電制御を行う通常の保温モード（換言すれば、設定保温温度制御モード）の他に、沸騰用ヒータ４Ａおよび保温用ヒータ４Ｂへの通電を停止した状態（即ち、電源コードを取り外した状態）で保温する魔法瓶保温モードによる使用が可能となっている。
【００３５】
ついで、上記構成の電気貯湯容器における光源の色光変更制御（１），（２）について、図６および図７に示すフローチャートを参照して説明する。
（１）  光源の色光変更制御（１）（図６のフローチャート参照）
ステップＳ１において保温工程が実行され、ステップＳ２においてロック解除スイッチ３２がＯＮ操作されると、ステップ３において温度センサ１３からの検出温度（即ち、内容器３内のお湯の温度）Ｔが入力され、ステップＳ４およびステップＳ５において検出温度Ｔの高低判定がなされる。ステップＳ４においてＴ≧９０℃（即ち、お湯の温度が高温）と判定された（即ち、肯定判定された）場合には、ステップＳ６において光源であるＬＥＤ２９が赤色点灯され、ステップＳ４において否定判定され且つステップＳ５において８０℃≦Ｔ＜９０℃と判定された（即ち、肯定判定された）場合には、ステップＳ７においてＬＥＤ２９が緑色点灯され、ステップＳ５において否定判定された（即ち、Ｔ＜８０℃と判定された）場合には、ステップＳ８においてＬＥＤ２９が青色点灯される。
【００３６】
その後、ステップＳ９において給湯スイッチ３１がＯＮ操作されると、ステップＳ１０において給湯ポンプ６が駆動開始（即ち、ＯＮ）されて、内容器３内のお湯が給湯口５ｂから給湯される。この給湯動作は、ステップＳ１１において給湯スイッチ３１がＯＦＦ操作されるまで継続されるが、ステップＳ１１において給湯スイッチ３１がＯＦＦ操作されると、ステップＳ１２において給湯ポンプ６が駆動停止（即ち、ＯＦＦ）されて、給湯動作が停止される。その後、ステップＳ１３において所定時間経過したことが確認されると、ステップＳ１４においてＬＥＤ２９が消灯（即ち、ＯＦＦ）され、本制御は終了する。
【００３７】
上記したように、光源であるＬＥＤ２９から照射される光により給湯口５ｂから給湯されるお湯自体が照らされることとなり、お湯の流れがはっきりし、急須等でお湯を受ける手元が明るくなる。従って、給湯されるお湯を誤りなく、急須等で受け止めることができる。しかも、ＬＥＤ２９からの光により容器本体１の前面中央部Ｓがライトアップされることとなり、手元が明るくなって給湯動作が容易になる。また、内容器３内のお湯の温度Ｔに対応してＬＥＤ２９から照射される光の色が３色（赤→緑→青）に変化するところから、お湯の温度を光源であるＬＥＤ２９からの光の色により容易に認識することができる。さらに、ＬＥＤ２９は、ロック解除スイッチ３２のＯＮ操作と同時にＯＮされ、給湯スイッチ３１のＯＦＦ操作後あるいは給湯ポンプ６の駆動停止後所定時間経過した後にＯＦＦされることとなり、給湯口５ｂからお湯が給湯されている間は確実にＬＥＤ２９からの光によって給湯されるお湯を照射することができる。
（２）  光源の色光変更制御（２）（図７のフローチャート参照）
ステップＳ１において保温工程が実行され、ステップＳ２においてロック解除スイッチ３２がＯＮ操作されると、ステップ３およびステップＳ４において設定保温温度Ｔｓの選択判定がなされる。ステップＳ３においてＴｓ＝９０℃ｏｒ９５℃（即ち、設定保温温度として９０℃あるいは９８℃が選択された）と判定された（即ち、肯定判定された）場合には、ステップＳ５において光源であるＬＥＤ２９が赤色点灯され、ステップＳ３において否定判定され且つステップＳ４においてＴｓ＝８０℃ｏｒ８５℃（即ち、設定保温温度として８０℃あるいは８５℃が選択された）と判定された（即ち、肯定判定された）場合には、ステップＳ６においてＬＥＤ２９が緑色点灯され、ステップＳ４において否定判定された（即ち、設定保温温度として７０℃あるいは７５℃が選択された）場合には、ステップＳ７においてＬＥＤ２９が青色点灯される。
【００３８】
その後、ステップＳ９において給湯スイッチ３１がＯＮ操作されると、ステップＳ１０において給湯ポンプ６が駆動開始（即ち、ＯＮ）されて、内容器３内のお湯が給湯口５ｂから給湯される。この給湯動作は、ステップＳ１１において給湯スイッチ３１がＯＦＦ操作されるまで継続されるが、ステップＳ１１において給湯スイッチ３１がＯＦＦ操作されると、ステップＳ１２において給湯ポンプ６が駆動停止（即ち、ＯＦＦ）されて、給湯動作が停止される。その後、ステップＳ１３において所定時間経過したことが確認されると、ステップＳ１４においてＬＥＤ２９が消灯（即ち、ＯＦＦ）され、本制御は終了する。
【００３９】
上記したように、光源であるＬＥＤ２９から照射される光により給湯口５ｂから給湯されるお湯自体が照らされることとなり、お湯の流れがはっきりし、急須等でお湯を受ける手元が明るくなる。従って、給湯されるお湯を誤りなく、急須等で受け止めることができる。しかも、ＬＥＤ２９からの光により容器本体１の前面中央部Ｓがライトアップされることとなり、手元が明るくなって給湯動作が容易になる。また、設定保温温度Ｔｓに対応してＬＥＤ２９から照射される光の色が３色（赤→緑→青）に変化するところから、お湯の温度を光源であるＬＥＤ２９からの光の色により容易に認識することができる。さらに、ＬＥＤ２９は、ロック解除スイッチ３２のＯＮ操作と同時にＯＮされ、給湯スイッチ３１のＯＦＦ操作後あるいは給湯ポンプ６の駆動停止後所定時間経過した後にＯＦＦされることとなり、給湯口５ｂからお湯が給湯されている間は確実にＬＥＤ２９からの光によって給湯されるお湯を照射することができる。
【００４０】
本願発明は、上記実施の形態に限定されるものではなく、発明の要旨を逸脱しない範囲において適宜設計変更可能なことは勿論である。
【図面の簡単な説明】
【００４１】
【図１】本願発明の実施の形態にかかる電気貯湯容器の縦断面図である。
【図２】本願発明の実施の形態にかかる電気貯湯容器の正面図である。
【図３】本願発明の実施の形態にかかる電気貯湯容器の容器本体の平面形状を示す一部省略した平面図である。
【図４】本願発明の実施の形態にかかる電気貯湯容器における操作パネル部の拡大平面図である。
【図５】本願発明の実施の形態にかかる電気貯湯容器における電気的要素の結線図である。
【図６】本願発明の実施の形態にかかる電気貯湯容器における光源の色光変更制御（１）の内容を示すフローチャートである。
【図７】本願発明の実施の形態にかかる電気貯湯容器における光源の色光変更制御（２）の内容を示すフローチャートである。
【符号の説明】
【００４２】
１は容器本体
１ａは凹面形状部
２は蓋体
２ａは嘴部
３は内容器
４は加熱手段（電気ヒータ）
５は吐出通路
６は給湯ポンプ
１３は温度センサ
２９は光源（ＬＥＤ）
３１は給湯スイッチ
３２はロック解除スイッチ
Ｗはお湯
【図１】
2009189617.tif 000003
【図２】
2009189617.tif 000004
【図３】
2009189617.tif 000005
【図４】
2009189617.tif 000006
【図５】
2009189617.tif 000007
【図６】
2009189617.tif 000008
【図７】
2009189617.tif 000009